(57)【特許請求の範囲】
【請求項１】
アクチュエータ係合部を有するアクチュエータを備えるコネクタに対して挿入接続されるシート状又は板状の接続対象物を保持する保持部材であって、
前記接続対象物を前記コネクタに挿入した状態で前記アクチュエータを倒すことにより前記接続対象物と前記コネクタとの接続を図った際に前記アクチュエータ係合部と係合することにより前記コネクタに対する前記接続対象物の相対位置を維持する保持部材係合部と、
前記接続対象物と前記コネクタとを接続した状態において前記コネクタに設けられたコネクタロック部と共に前記接続対象物を前記相対位置にロックする金属製のロック部材とを有しており、
前記アクチュエータ係合部は、前記アクチュエータを倒した状態において垂直方向に突出した突起部であり、
前記保持部材係合部は、前記アクチュエータを倒した際に前記アクチュエータ係合部を受容し得るように構成された受容部であり、
前記保持部材係合部は、当該保持部材係合部が前記アクチュエータ係合部を受容した状態において受容された前記アクチュエータ係合部が前記ロック部材と前記コネクタロック部との係止の解除を妨げるような位置に設けられている
保持部材。
【請求項２】
請求項１記載の保持部材であって、
前記ロック部材は、支持部と、前記垂直方向と直交するピッチ方向において係止位置と解除位置との間で変位可能となるように前記支持部に支持された係止部であって前記係止位置に位置している際に前記コネクタロック部に係止する係止部とを有しており、
前記保持部材係合部は、前記係止部が前記係止位置から前記解除位置に移動する際に前記係止部又は前記支持部が通過する領域内に位置している
保持部材。
【請求項３】
請求項２記載の保持部材であって、
前記保持部材係合部は、前記アクチュエータ係合部を受容した状態において前記アクチュエータ係合部が前記係止部の前記ピッチ方向における移動を規制するように、設けられている
保持部材。
【請求項４】
請求項２又は請求項３記載の保持部材であって、
前記係止部は、前記ピッチ方向の外側に向かって突出した爪状の形状を有しており、
前記保持部材係合部は、前記ピッチ方向において前記係止部の内側に位置している
保持部材。
【請求項５】
請求項１乃至請求項４のいずれかに記載の保持部材と前記コネクタとを備える組立体。
【発明の詳細な説明】
【技術分野】
【０００１】
本発明は、シート状又は板状の接続対象物を保持する保持部材に関する。また、本発明は、その保持部材を備える組立体や電子機器に関する。
【背景技術】
【０００２】
ＦＰＣ（Flexible Printed Circuit）やＦＦＣ（Flexible Flat Cable）といったようなシート状又は板状の接続対象物用のコネクタとしては、例えば、特許文献１に開示されたようなアクチュエータを有するものがある。この種のコネクタでは、ＦＰＣ／ＦＦＣのような接続対象物をコネクタ内に挿入した後、アクチュエータを倒すことにより、接続対象物とコネクタとの接続を図る。
【先行技術文献】
【特許文献】
【０００３】
【特許文献１】特開２００２−３６７７３０号公報
【発明の概要】
【発明が解決しようとする課題】
【０００４】
しかしながら、アクチュエータを倒した際に接続対象物が動いてしまい接続対象物とコネクタとの適切な接続が図れない場合がある。
【０００５】
そこで、本発明は、アクチュエータを備えるコネクタと接続対象物との適切な接続を補助する補助具を提供することを目的とする。
【課題を解決するための手段】
【０００６】
本発明は、上述した補助具として、アクチュエータ係合部を有するアクチュエータを備えるコネクタに対して挿入接続されるシート状又は板状の接続対象物を保持する保持部材を提供する。この保持部材は、例えば、その一部を前記接続対象物と共に前記コネクタに挿入されることにより前記コネクタと嵌合する。
【０００７】
具体的には、本発明は、第１の保持部材として、
アクチュエータ係合部を有するアクチュエータを備えるコネクタに対して挿入接続されるシート状又は板状の接続対象物を保持する保持部材であって、
前記接続対象物を前記コネクタに挿入した状態で前記アクチュエータを倒すことにより前記接続対象物と前記コネクタとの接続を図った際に前記アクチュエータ係合部と係合することにより前記コネクタに対する前記接続対象物の相対位置を維持する保持部材係合部を有する保持部材を提供する。
【０００８】
また、本発明は、第２の保持部材として、第１の保持部材であって、
前記接続対象物と前記コネクタとを接続した状態において前記コネクタに設けられたコネクタロック部と共に前記接続対象物を前記相対位置にロックする金属製のロック部材を更に備える
保持部材を提供する。
【０００９】
また、本発明は、第３の保持部材として、第２の保持部材であって、
前記アクチュエータ係合部は、前記アクチュエータを倒した状態において垂直方向に突出した突起部であり、
前記保持部材係合部は、前記アクチュエータを倒した際に前記アクチュエータ係合部を受容し得るように構成された受容部であり、
前記保持部材係合部は、当該保持部材係合部が前記アクチュエータ係合部を受容した状態において受容された前記アクチュエータ係合部が前記ロック部材と前記コネクタロック部との係止の解除を妨げるような位置に設けられている
保持部材を提供する。
【００１０】
また、本発明は、第４の保持部材として、第３の保持部材であって、
前記ロック部材は、支持部と、前記垂直方向と直交するピッチ方向において係止位置と解除位置との間で変位可能となるように前記支持部に支持された係止部であって前記係止位置に位置している際に前記コネクタロック部に係止する係止部とを有しており、
前記保持部材係合部は、前記係止部が前記係止位置から前記解除位置に移動する際に前記係止部又は前記支持部が通過する領域内に位置している
保持部材を提供する。
【００１１】
また、本発明は、第５の保持部材として、第４の保持部材であって、
前記保持部材係合部は、前記アクチュエータ係合部を受容した状態において前記アクチュエータ係合部が前記係止部の前記ピッチ方向における移動を規制するように、設けられている
保持部材を提供する。
【００１２】
また、本発明は、第６の保持部材として、第４又は第５の保持部材であって、
前記係止部は、前記ピッチ方向の外側に向かって突出した爪状の形状を有しており、
前記保持部材係合部は、前記ピッチ方向において前記係止部の内側に位置している
保持部材を提供する。
【００１３】
また、本発明は、第１乃至第６のいずれかの保持部材と前記コネクタとを備える組立体を提供する。
【００１４】
また、本発明は、第１乃至第６のいずれかの保持部材と前記コネクタと前記接続対象物とを備える電子機器を提供する。
【発明の効果】
【００１５】
接続対象物を保持部材に保持させることとしたため、例えば、アクチュエータを倒す前に保持部材をコネクタに保持することができる。これにより、接続対象物のコネクタに対する相対位置のずれを防ぎ、両者の適切な接続を確保することができる。
【００１６】
特に、アクチュエータのアクチュエータ係合部と保持部材の保持部材係合部とを係合することにより、接続対象物のコネクタに対する相対位置を維持することとしたため、接続対象物とコネクタとの良好な接続状態を維持することができる。
【図面の簡単な説明】
【００１７】
【図１】本発明の実施の形態による組立体を示す斜視図である。保持部材とコネクタは嵌合されており、ＦＰＣ／ＦＦＣとコネクタは接続されている。
【図２】図１の組立体を示す他の斜視図である。ＦＰＣ／ＦＦＣは保持部材に保持されているが、保持部材とコネクタとは嵌合されていない。
【図３】図１の組立体を示す他の斜視図である。コネクタのアクチュエータが開状態にあり、ＦＰＣ／ＦＦＣとコネクタとは接続されていない。
【図４】図３の組立体を他の方向から見た斜視図である。
【図５】図１の組立体を示す正面図である。
【図６】図５の組立体をVI--VI線に沿って示す断面図である。
【図７】図１のコネクタを示す分解斜視図である。
【図８】図１の保持部材を示す分解斜視図である。
【発明を実施するための形態】
【００１８】
図１乃至図５に示されるように、本発明の実施の形態による組立体１０は、ＦＰＣ／ＦＦＣ（接続対象物）５０と接続されるコネクタ１００と、ＦＰＣ／ＦＦＣ５０をコネクタ１００に接続する際に補助具として用いられる保持部材２００とを備えている。図８を参照すると、ＦＰＣ／ＦＦＣ５０は、先端近傍に形成された複数の端子５２を有している。特に、本実施の形態におけるＦＰＣ／ＦＦＣ５０には、表面上のみならず裏面上にも複数の端子５２が形成されている。また、図示されたＦＰＣ／ＦＦＣ５０は、補強部５４を有している。この補強部５４の横方向（ピッチ方向）両端には内側に向かって凹んだ凹部５６がそれぞれ設けられている。
【００１９】
図７を参照すると、本実施の形態によるコネクタ１００は、複数の金属製の第１コンタクト１１０及び第２コンタクト１２０と、絶縁体からなるハウジング１３０と、絶縁体からなるアクチュエータ１４０と、２つの金属製のホールドダウン１５０とを備えている。
【００２０】
図２及び図７に示されるように、第１コンタクト１１０は、ハウジング１３０の後端から前端に向けて圧入されることによりハウジング１３０に保持固定されており、第２コンタクト１２０は、ハウジング１３０の前端から後端に向けて圧入されることによりハウジング１３０に保持固定されている。第１コンタクト１１０も第２コンタクト１２０もハウジング１３０に保持されることにより、ピッチ方向に列設されている。
【００２１】
図２に示されるように、ハウジング１３０のピッチ方向両端近傍には嵌合孔１３２が設けられている。この嵌合孔１３２は、ハウジング１３０の後端から前端に向かって延びており、ハウジング１３０の前端側に設けられた保持部材２００を受容し嵌合する部位（図示せず）まで達している。
【００２２】
図１、図２及び図７を参照すると、アクチュエータ１４０は、閉位置（図１参照）と開位置（図２〜図４参照）との間で回動可能となるようにハウジング１３０に支持されている。本実施の形態によるアクチュエータ１４０は、前方に倒されることにより開位置から閉位置に向かって回動する。このアクチュエータ１４０には、２つの突起部（アクチュエータ係合部）１４４が形成されている。突起部１４４は、ピッチ方向の両端に位置しており、アクチュエータ１４０を閉位置まで倒した状態において垂直方向下向きに突出するように構成されている。
【００２３】
図７を参照すると、ホールドダウン１５０には、ピッチ方向においてホールドダウン１５０の一部を貫通すると共に前後方向に延びるスリット状の係止孔（コネクタロック部）１６０が設けられている。
【００２４】
コネクタ１００は、ＦＰＣ／ＦＦＣ５０を挿入された状態でアクチュエータ１４０を閉位置まで倒すことによりＦＰＣ／ＦＦＣ５０の端子５２と第１コンタクト１１０及び第２コンタクト１２０との接続を図ることとしている。
【００２５】
本実施の形態による保持部材２００は、ＦＰＣ／ＦＦＣ５０を保持するものであり、ＦＰＣ／ＦＦＣ５０をコネクタ１００に接続する際にコネクタ１００に対するＦＰＣ／ＦＦＣ５０の相対位置を位置決めする役割も果たす。具体的には、本実施の形態による保持部材２００は、ＦＰＣ／ＦＦＣ５０をコネクタ１００に接続する際に、部分的にコネクタ１００に挿入されコネクタ１００と嵌合する。この保持部材２００とコネクタ１００との嵌合によって、コネクタ１００に対するＦＰＣ／ＦＦＣ５０の相対位置を適切なものとすることができ、位置ずれによって生じ易い接触不良などを防止することができる。
【００２６】
本実施の形態による保持部材２００は、図８に示されるように、絶縁体からなるベース２１０と、２つの金属製のロック部材２７０と、カバー２８０とを備えている。
【００２７】
図８を参照すると、ベース２１０のピッチ方向中央には、ＦＰＣ／ＦＦＣ５０を載置するための平板状の載置部２２０が設けられている。この載置部２２０には、載置部２２０を垂直方向において貫通する固定部受部２２２が設けられている。固定部受部２２２は、載置部２２０のピッチ方向両端近傍に位置しており、ＦＰＣ／ＦＦＣ５０の補強部５４に形成された凹部５６に対応している。固定部受部２２２の後方には嵌込溝２２４が設けられており、嵌込溝２２４にはピッチ方向内側に向かって突出した凸部２２６が形成されている。
【００２８】
図８に示されるように、載置部２２０の前方には、ＦＰＣ／ＦＦＣ５０のコネクタ１００に対する挿入の際にコネクタ１００に対して挿入嵌合される嵌合部２３０が形成されている。この嵌合部２３０は、ピッチ方向両端に嵌合凸部２３２を有している。これら嵌合凸部２３２は、前方に突出しており、嵌合部２３０のコネクタ１００に対する嵌合の際には嵌合孔１３２内に挿入される。
【００２９】
図８に示されるように、ベース２１０のピッチ方向両端には、取扱部２４０がそれぞれ設けられている。この取扱部２４０は、ＦＰＣ／ＦＦＣ５０をコネクタ１００に挿入する際やＦＰＣ／ＦＦＣ５０をコネクタ１００から外す際にユーザが持つ部位である。取扱部２４０は、弾性変形可能な被押圧部２４２を有している。この被押圧部２４２は、ユーザによって押圧される部位である。図６を参照すると、この被押圧部２４２の内側には、被押圧部２４２が押圧された際にロック部材２７０に力を加える加圧部２４４が設けられている。
【００３０】
図２、図６及び図８に示されるように、各取扱部２４０には、ロック部材２７０を収容する収容部２５０が形成されている。この収容部２５０は嵌合部２３０内まで延びており、嵌合部２３０のピッチ方向外側に設けられたスリット２５２を介して保持部材２００の外部と通じている。
【００３１】
図２及び図６に示されるように、嵌合部２３０には、２つの受容部（保持部材係合部）２６０が形成されている。受容部２６０は、保持部材２００をコネクタ１００に嵌合した状態においてアクチュエータ１４０を閉位置に倒した際に突起部１４４を受容し得るように構成されている。特に、本実施の形態による受容部２６０は、嵌合部２３０を垂直方向において貫通する孔である。しかしながら、本発明はこれに限定されるわけではなく、突起部１４４の形状等によっては受容部２６０は底を有する穴であってもよい。
【００３２】
本実施の形態における受容部２６０は、収容部２５０と連通している。また、受容部２６０は、前後方向においてスリット２５２と実質的に同じような位置に位置しており、且つ、ピッチ方向においてスリット２５２よりも内側に位置している。
【００３３】
図６及び図８に示されるように、ロック部材２７０は、係止部２７２と、係止部２７２を支持する支持部２７４とを有している。本実施の形態による係止部２７２は、ピッチ方向において変位可能となるように支持部２７４に支持されている。
【００３４】
本実施の形態による係止部２７２は、ピッチ方向外側に向かって突出した爪状の形状を有している。ロック部材２７０が収容部２５０に収容されると、爪状の係止部２７２はスリット２５２を通じて嵌合部２３０からピッチ方向外側に向かって突出する。このときの係止部２７２の位置を「係止位置」という。この係止位置に係止部２７２が位置しているとき、コネクタ１００の係止孔１６０に係止することができる。
【００３５】
図６に示されるように、係止部２７２が係止位置にあるとき、支持部２７４のピッチ方向外側には加圧部２４４が位置している。そのため、被押圧部２４２をピッチ方向内側に向かって押圧すると、その力が加圧部２４４を通じて支持部２７４まで伝達され、係止部２７２がスリット２５２の内側まで移動させられる。即ち、係止部２７２が収容部２５０内に完全に収容される。このときの係止部２７２の位置を「解除位置」という。本実施の形態による支持部２７４は、係止部２７２が係止位置と解除位置との間で変位可能となるように係止部２７２を支持している。
【００３６】
係止部２７２が係止位置にあるとき、受容部２６０はピッチ方向において係止部２７２の内側に位置している。即ち、本実施の形態による受容部２６０は、係止部２７２が係止位置から解除位置に移動する際に、係止部２７２が通過する領域内に位置している。このため、受容部２６０が突起部１４４を受容すると、突起部１４４は係止部２７２のピッチ方向における移動を規制することとなる。係止部２７２が係止位置から解除位置に移動する際に係止部２７２そのものではなく支持部２７４が通過する領域内に受容部２６０を位置させ、それによって突起部１４４による係止部２７２の移動規制を行うこととしてもよい。しかし、突起部１４４による係止部２７２の移動規制を確実なものとするためには、本実施の形態のように、係止部２７２が係止位置から解除位置に移動する際に係止部２７２が通過する領域内に受容部２６０を設けることが好ましい。
【００３７】
図８に示されるように、カバー２８０には、嵌込片２８２と固定部２８６とが設けられている。嵌込片２８２は、カバー２８０の後端近傍であってピッチ方向両端から下方向に向かって延びている。この嵌込片２８２には孔２８４が形成されている。固定部２８６は、カバー２８０の前端近傍であってピッチ方向両端から下方向に向かって突出している。嵌込片２８２はベース２１０の嵌込溝２２４に対応しており、固定部２８６はベース２１０の固定部受部２２２に対応している。嵌込片２８２を嵌込溝２２４に嵌め込むと、孔２８４内に凸部２２６が嵌ることになる。
【００３８】
ＦＰＣ／ＦＦＣ５０をベース２１０の載置部２２０に載置して補強部５４の凹部５６を固定部受部２２２に合わせた状態でカバー２８０の固定部２８６を固定部受部２２２に挿入すると共に嵌込片２８２を嵌込溝２２４に嵌め込むと、ＦＰＣ／ＦＦＣ５０が保持部材２００に保持され、ＦＰＣ／ＦＦＣ５０の保持部材２００に対する相対位置が固定される。従って、保持部材２００のコネクタ１００に対する位置合わせを適切に行えば、ＦＰＣ／ＦＦＣ５０のコネクタ１００に対する位置合わせも適切に行うことができる。
【００３９】
ＦＰＣ／ＦＦＣ５０を保持した保持部材２００をコネクタ１００に対して嵌合すると、ＦＰＣ／ＦＦＣ５０の端子５２とコネクタ１００の第１コンタクト１１０及び第２コンタクト１２０との位置合わせがなされる。この際、ロック部材２７０の係止部２７２は係止位置に位置しており、コネクタ１００の係止孔１６０に係止している。即ち、ロック部材２７０の係止部２７２が係止孔１６０に係止することにより、ＦＰＣ／ＦＦＣ５０の端子５２とコネクタ１００の第１コンタクト１１０及び第２コンタクト１２０との適切な位置関係がロックされる。
【００４０】
その後、アクチュエータ１４０を閉位置まで倒すと、ＦＰＣ／ＦＦＣ５０の端子５２とコネクタ１００の第１コンタクト１１０及び第２コンタクト１２０との接続が図られる。この際、アクチュエータ１４０の突起部１４４が保持部材２００のベース２１０の受容部２６０に受容され係合する。即ち、本実施の形態においては、突起部１４４の受容部２６０に対する係合と係止部２７２の係止孔１６０に対する係止により、ＦＰＣ／ＦＦＣ５０のコネクタ１００に対する相対位置が維持されている。突起部１４４の受容部２６０に対する係合だけでもＦＰＣ／ＦＦＣ５０のコネクタ１００に対する相対位置の維持が行えるため、ＦＰＣ／ＦＦＣ５０の無理抜きに対して抑制効果があるが、本実施の形態のように金属製のロック部材２７０を用いたロックを更に用いることで、アクチュエータ１４０の操作前におけるＦＰＣ／ＦＦＣ５０のコネクタ１００に対する相対位置のロックを可能とすると共にアクチュエータ１４０の操作後の相対位置のロックを確実なものとすることができる。
【００４１】
更に、ＦＰＣ／ＦＦＣ５０のコネクタ１００に対する相対位置のロックを行っている状態において、受容部２６０に受容された突起部１４４はロック部材２７０の係止部２７２が係止位置から解除位置に向かうことを規制している。即ち、突起部１４４は、ロック部材２７０の係止部２７２とコネクタ１００の係止孔１６０との係止の解除を妨げている。そのため、アクチュエータ１４０を起こさない限り、例えば被押圧部２４２に何らかの力が加わったとしてもロック部材２７０の係止部２７２とコネクタ１００の係止孔１６０との係止が誤って解除されてしまうことがない。
【００４２】
以上、本発明による保持部材を備える組立体について実施の形態を用いて具体的に説明してきたが、本発明はこれに限定されるものではない。
【００４３】
例えば、アクチュエータ１４０に突起部１４４を設け、保持部材２００に受容部２６０を設けることとしていたが、保持部材２００に突起部を設け、アクチュエータ１４０に受容部を設けることとしてもよい。
【００４４】
固定部受部２２２は、載置部２２０を貫通していたが、カバー２８０の固定部２８６を適切に受けることができるものであれば、載置部２２０を貫通していなくともよい。
【産業上の利用可能性】
【００４５】
本発明の組立体は、例えば、液晶テレビやプラズマテレビなどの電子機器に用いることができる。
【符号の説明】
【００４６】
１０        組立体
５０        ＦＰＣ／ＦＦＣ（接続対象物）
５２        端子
５４        補強部
５６        凹部
１００        コネクタ
１１０        第１コンタクト
１２０        第２コンタクト
１３０        ハウジング
１３２        嵌合孔
１４０        アクチュエータ
１４４        突起部（アクチュエータ係合部）
１５０        ホールドダウン
１６０        係止孔（コネクタロック部）
２００        保持部材
２１０        ベース
２２０        載置部
２２２        固定部受部
２２４        嵌込溝
２２６        凸部
２３０        嵌合部
２３２        嵌合凸部
２４０        取扱部
２４２        被押圧部
２４４        加圧部
２５０        収容部
２５２        スリット
２６０        受容部（保持部材係合部）
２７０        ロック部材
２７２        係止部
２７４        支持部
２８０        カバー
２８２        嵌込片
２８４        孔
２８６        固定部
【図１】
0005634179.tif 000002
【図２】
0005634179.tif 000003
【図３】
0005634179.tif 000004
【図４】
0005634179.tif 000005
【図５】
0005634179.tif 000006
【図６】
0005634179.tif 000007
【図７】
0005634179.tif 000008
【図８】
0005634179.tif 000009